(57)【要約】【課題】この発明は、停電時等に大きな電力を消費することなく警報を鳴動させることができるテレビドアホンを提供することを課題とする。【解決手段】停電時に非常用のバッテリ３３から非常用電源が親機Ａの電源回路７へ供給されると、ＣＰＵ１は子機Ｂの呼出スイッチ２０の投入を受け付けない状態として表示部４の電源回路９へＯＦＦ信号送出を継続して表示部４の電源回路９から映像線１３を介した子機Ｂへの電源供給を禁止する。この状態で、火災感知器が火災の発生を検出し、火災感知器から出力された火災信号が親機ＡのＣＰＵ１によって認識されると、ＣＰＵ１により切替スイッチ６が警報制御部３側へ切り替えられると共に警報制御部３から音声による警報音として警報信号が音声線１２上に出力される。警報信号は子機Ｂの音声制御部１５で受信され、通話部１６のスピーカ２３から警報音の鳴動がなされる。【選択図】　　　　図１
2004120593.tif 000002
【特許請求の範囲】
【請求項１】
子機の通話部と親機の通話部との間で通話がなされると共に子機のカメラで撮影された映像を親機の表示部で表示するテレビドアホンにおいて、
子機と親機とが映像線及び音声線を介して互いに接続され、
子機は、前記カメラにより得られた映像信号を前記映像線を介して親機へ送出する映像制御部と、子機の通話部及び親機の通話部による音声信号を前記音声線を介して親機との間で送受信する音声制御部とを備え、
親機は警報時に前記音声線を介して警報信号を子機へ送出し、
子機の前記音声制御部は前記音声線を介して親機から受信した警報信号に基づいて子機の通話部から警報音を鳴動させることを特徴とするテレビドアホン。
【請求項２】
子機と親機とがさらに制御線を介して互いに接続され、
親機は警報時に前記制御線を介して移報出力を子機へ送出し、
子機は、前記制御線を介して親機から受信した移報出力に基づいて警報表示灯を点灯させる警報表示部を有する請求項１に記載のテレビドアホン。
【請求項３】
子機は、１または複数の火災感知器が接続される接続端子を有すると共にこれらの火災感知器からの火災信号を信号線を介して親機へ入力させる中継器機能を有する請求項２に記載のテレビドアホン。
【発明の詳細な説明】
【０００１】
【発明の属する技術分野】
この発明は、テレビドアホンに係り、特に子機と親機の間で通話がなされると共に子機のカメラで撮影された映像を親機の表示部で表示するテレビドアホンに関する。
【０００２】
【従来の技術】
従来から、ドアの外側に配置された子機と屋内の親機との間で呼び出しや通話を行うドアホンが使用されているが、子機に撮影用のカメラを取り付けると共に親機に映像表示用の表示部を備え、呼び出し及び通話の機能に加えて、子機のカメラで訪問者等を撮影し、その映像を親機の表示部に表示するテレビドアホンが使用されつつある（例えば、特許文献１参照）。
【０００３】
【特許文献１】
特開平１０−２４３３８１号公報
【０００４】
この種のテレビドアホンでは、親機と子機とが呼び出し及び通話のための線路で互いに接続され、この線路を介して親機から子機へ電源を供給すると共に音声信号と映像信号とを重畳させて親機と子機との間で伝送している。
また、近年は、防災や警備上の各種情報に対する情報盤としての機能を兼ね備えたテレビドアホンも用いられるようになり、親機や子機から警報を発することができるようになった。
【０００５】
【発明が解決しようとする課題】
しかしながら、テレビドアホンは通話だけでなくカメラによる撮影を行うために大きな電力を消費し、停電時等に例えば管理室の非常用のバッテリから各戸へ非常用電源が供給された場合にも、テレビドアホンとして大きな電力を消費することとなるので好ましくない。一方、電力消費を軽減するために、このような非常時にテレビドアホンの電源を遮断してしまうと、防災や警備上の情報に基づいて警報を発することもできなくなり、支障を来すこととなる。
この発明はこのような問題点を解消するためになされたもので、停電時等に大きな電力を消費することなく警報を鳴動させることができるテレビドアホンを提供することを目的とする。
【０００６】
【課題を解決するための手段】
この発明に係るテレビドアホンは、子機の通話部と親機の通話部との間で通話がなされると共に子機のカメラで撮影された映像を親機の表示部で表示するテレビドアホンにおいて、子機と親機とが映像線及び音声線を介して互いに接続され、子機は、カメラにより得られた映像信号を映像線を介して親機へ送出する映像制御部と、子機の通話部及び親機の通話部による音声信号を音声線を介して親機との間で送受信する音声制御部とを備え、親機は警報時に音声線を介して警報信号を子機へ送出し、子機の音声制御部は音声線を介して親機から受信した警報信号に基づいて子機の通話部から警報音を鳴動させるものである。
【０００７】
子機と親機とをさらに制御線を介して互いに接続し、親機は警報時に制御線を介して移報出力を子機へ送出し、子機の警報表示部が、制御線を介して親機から受信した移報出力に基づいて警報表示灯を点灯させるように構成することが好ましい。
さらに、子機に１または複数の火災感知器が接続される接続端子を設置し、これらの火災感知器からの火災信号を信号線を介して親機へ入力させる中継器機能を持たせることもできる。
【０００８】
【発明の実施の形態】
以下、この発明の実施の形態を添付図面に基づいて説明する。
図１にこの発明の実施の形態に係るテレビドアホンの構成を示す。テレビドアホンは、屋内に配置される親機Ａとドアの外側に配置される子機Ｂとを備えている。
親機Ａは、ＣＰＵ１を有し、このＣＰＵ１に音声制御部２及び警報制御部３と表示部４が接続されると共に音声制御部２に通話部５が接続されている。音声制御部２と警報制御部３にはＣＰＵ１からの指令により作動する切替スイッチ６が接続されている。さらに、親機Ａには、ＣＰＵ１、音声制御部２、警報制御部３及び表示部４へ電源を供給するための電源回路７が接続され、この電源回路７が商用電源に接続されている。表示部４は、表示部用のＣＰＵ８と、ＣＰＵ８に接続された電源回路９を有すると共に、映像表示用のＬＣＤ１０及びこのＬＣＤ１０に接続された復調回路１１を有している。また、通話部５は、図示しないスピーカとマイクとを備えている。
【０００９】
切替スイッチ６に音声線１２が、表示部４に映像線１３が、ＣＰＵ１に制御線１４がそれぞれ接続され、これら音声線１２、映像線１３及び制御線１４が子機Ｂまで延設されている。これら音声線１２、映像線１３及び制御線１４はそれぞれ２本１組の電線として配設されるが、制御線１４の１本を音声線１２の１本に共用することもできる。
【００１０】
一方、子機Ｂは、音声線１２に接続された音声制御部１５とこの音声制御部１５に接続された通話部１６を有すると共に、映像線１３に接続された映像制御部１７を有し、さらに制御線１４に接続された警報表示部１８を有している。
音声制御部１５は、それぞれ音声線１２に接続された通電表示灯１９、呼出スイッチ２０及びトランス２１を有し、さらに、トランス２１に接続された増幅回路２２を有している。通話部１６は、音声制御部１５のトランス２１に接続されたスピーカ２３と増幅回路２２に接続されたマイク２４を備えている。
映像制御部１７は、映像線１３に接続された変調回路２５と、変調回路２５に接続されると共にカメラとして用いられるＣＣＤセンサ２７と、照明用ＬＥＤ２８と、明るさセンサ２９を有し、さらに映像制御部１７の各部に電源を供給する電源回路２６を有している。
また、警報表示部１８は、警報表示灯３０を有すると共に、図示しないが少なくとも一つの火災感知器を接続するための接続端子と外部試験器を接続するための接続端子を備え、親機Ａを火災受信機として火災感知器からの火災信号を図示しない信号線を介して受信させると共に、外部試験器の接続時に点検のための信号を火災感知器との間で送受信することができるように信号経路を切り替える中継器機能を備えている。
【００１１】
次に、この実施の形態に係るテレビドアホンの動作について説明する。
通常時は、商用電源に接続された親機Ａの電源回路７からＣＰＵ１及び音声制御部２へ電源が供給され、ＣＰＵ１により切替スイッチ６が音声制御部２を選択するように設定される。子機Ｂの呼出スイッチ２０が投入され、音声線１２に接続される図示しない呼出検出回路からの出力をＣＰＵ１が認識すると、ＣＰＵ１から表示部４の電源回路９にＯＮ信号が出力されて電源回路９が起動され、この電源回路９の起動に基づき電源回路７からの電源を表示部４内の各部に供給し、その電源供給を受けたＣＰＵ８が起動して表示部４が動作状態となる。そして、電源回路９から映像線１３を介して子機Ｂの電源回路２６へ電源が供給される。さらに、電源回路２６から映像制御部１７へ電源の供給が行われる。映像制御部１７では、明るさセンサ２９で検出された子機Ｂ周辺の明るさに基づき、選択的に照明用ＬＥＤ２８が点灯されると共にＣＣＤセンサ２７で捉えた訪問者等の映像信号が変調回路２５を介して映像線１３上に出力される。映像線１３の信号は、親機Ａにおいて表示部４の復調回路１１で復調され、これにより訪問者等の画像がＬＣＤ１０に表示される。
【００１２】
また、親機Ａの通話部５と子機Ｂの通話部１６との間で互いに通話が行われる。例えば、子機Ｂの通話部１６のマイク２４で捉えた訪問者等の音声は音声制御部１５から音声信号として音声線１２上に出力され、親機Ａの切替スイッチ６を介して音声制御部２で受信された後、通話部５の図示しないスピーカで音声に復元される。同様に、親機Ａの通話部５の図示しないマイクで捉えた音声は、音声制御部２から音声信号として音声線１２上に出力され、子機Ｂの音声制御部１５で受信され、通話部１６のスピーカ２３で音声に復元される。
【００１３】
子機Ｂには図示しない火災感知器が接続されており、この火災感知器が火災の発生を検出すると、火災感知器から火災信号が出力され、子機Ｂは中継器として作用して、火災信号が音声線１２、映像線１３及び制御線１４とは別の図示しない信号線を介して親機Ａの図示しない受信回路に入力される。親機ＡのＣＰＵ１は、図示しない受信回路が火災信号を受けたことを認識すると、警報制御部３が選択されるように切替スイッチ６を切り替えると共に警報制御部３から予め設定されている警報のための音声信号を警報音として警報信号を音声線１２上に送出させる。この警報信号は子機Ｂの音声制御部１５で受信され、通話部１６のスピーカ２３から音声による警報音の鳴動がなされる。なお、この警報音の鳴動は、図示しない火災感知器による火災検出時に限らず、いわゆる住宅情報盤としての各種センサによるセキュリティ機能を親機Ａが有する場合に、各種センサの異常検出時に行われる警報であってもよく、警報制御部３に予め各種センサに対応する警報音を音声信号として格納することによって選択的に警報を行うことができる。また、親機ＡのＣＰＵ１は制御線１４を介して移報出力を子機Ｂの警報表示部１８へ送出し、この移報出力に基づいて警報表示部１８の警報表示灯３０が点滅点灯する。
【００１４】
また、警報表示の外部試験を行う際には、子機Ｂに図示しない外部試験器が接続される。外部試験器からの試験信号は図示しない信号線等を介して親機ＡのＣＰＵ１へ伝送され、試験信号を受信したＣＰＵ１は、警報制御部３による警報信号の送出を行って、移報出力を制御線１４上に送出する。子機Ｂの警報表示部１８は移報出力を受信し、警報表示灯３０を点滅点灯させる。同時に、子機Ｂにおける通話部１６にも、警報制御部３からの警報信号が出力され、スピーカ２３により警報音の鳴動が行われる。このようにして、ドアの外側に配置されている子機Ｂに外部試験器を接続するだけで、屋内の親機Ａを操作することなく、外部試験を行うことができる。
【００１５】
停電時においては、商用電源から親機Ａの電源回路７への電源供給が停止され、例えば管理室Ｃに設置されている非常用のバッテリ３３から非常用電源が電源回路７へ供給される。親機ＡのＣＰＵ１は非常用電源の供給状態であることを認識し、子機Ｂの呼出スイッチ２０の投入を受け付けない状態とされ、その結果、表示部４の電源回路９へＯＦＦ信号送出を継続する。これにより、表示部４の電源回路９が電源回路７から電源供給を受けることがなく、さらに電源回路９から映像線１３を介した子機Ｂへの電源供給が禁止される。従って、親機Ａの表示部４と子機Ｂの映像制御部１７とによる映像機能は停止される。ここで、親機Ａの通話部５と子機Ｂの通話部１６との通話機能は利用可能としてよいが、非常電源としてのバッテリ３３の容量は警報制御のために設計されるべきことから、映像機能と同様に通話機能も停止されるようにしてもよい。
【００１６】
このような停電時でも、図示しない火災感知器が火災の発生を検出すると、火災感知器から出力された火災信号に基づいて、ＣＰＵ１は、警報制御部３が選択されるように切替スイッチ６を切り替えると共に警報制御部３から警報信号を音声線１２上に送出させる。この警報信号は子機Ｂの音声制御部１５で受信され、通話部１６のスピーカ２３から警報音の鳴動がなされる。すなわち、停電時に子機Ｂへの電源供給がなされない場合でも、子機Ｂのスピーカ２３から警報音を鳴動させることが可能となる。同時に、子機Ｂにおいて、音声制御部１５が映像制御部１７と電源的及び配線的に区別されていることから、映像線１３の断線や電源回路２６の不調等の映像機能についての不具合が生じても、警報音の鳴動が可能となる。
【００１７】
【発明の効果】
以上説明したように、この発明によれば、子機と親機とを互いに接続する映像線と音声線とを別線で構成し、子機が映像制御部と音声制御部とを備えているので、停電時等には子機の映像制御部を停止状態とすることにより大きな電力を消費することなく、親機からの警報信号に基づいて子機から警報を鳴動させることが可能となる。
【図面の簡単な説明】
【図１】この発明の実施の形態に係るテレビドアホンの構成を示すブロック図である。
【符号の説明】
１，８　ＣＰＵ、２，１５　音声制御部、３　警報制御部、４　表示部、５，１６　通話部、６　切替スイッチ、７，９，２６　電源回路、１０　ＬＣＤ、１１　復調回路、１２　音声線、１３　映像線、１４　制御線、１８　警報表示部、１９　通電表示灯、２０　呼出スイッチ、２１　トランス、２２　増幅回路、２３　スピーカ、２４　マイク、２５　変調回路、２７　ＣＣＤセンサ、２８　照明用ＬＥＤ、２９　明るさセンサ、３０　警報表示灯、３３　バッテリ、Ａ　親機、Ｂ　子機。
【図１】
2004120593.tif 000003